(57)【要約】【課題】音声の変更を簡単に行うことができ、再生できる音声の数についても制限を受けない音声再生装置を提供する。【解決手段】音声データの保存用メモリ３から前記音声データを、記録手段２Ａによって一定量ずつ順に読み出し、第１及び第２メモリバンク４，５に交互に記録する。第１及び第２メモリバンク４，５に記録されている前記音声データを、再生手段２Ｂによって記録順に読み出し、スピーカ７を通じて順に再生する。動作禁止手段２Ｃによって、再生手段２Ｂによる再生に使用中のメモリバンク４，５について、記録手段２Ａによる記録動作を禁止する。【選択図】  図２
2009294336.tif 000002
【特許請求の範囲】
【請求項１】
音声データが書き換え可能に記録されている外部メモリから、前記音声データを読み出し、音声として出力する音声再生装置であって、
前記外部メモリよりも記録容量が小さく前記音声データの一部のみを記録可能である複数のメモリバンクと、
前記音声データを、音声として出力する音声再生部と、
前記音声データを一定量ずつ順に読み出し、前記複数のメモリバンクに順に記録する記録手段と、
前記複数のメモリバンクに記録されている前記音声データを、前記記録順に読み出し、前記音声再生部を通じて順に再生する再生手段と、
前記記録手段及び再生手段に連係され前記記録手段により記録する前記メモリバンク及び前記再生手段により再生する前記メモリバンクを決定するメモリバンク決定手段とを備えることを特徴とする音声再生装置。
【請求項２】
前記メモリバンク決定手段は、前記再生手段よりの信号を受け、前記再生手段による再生が終了したメモリバンクについて、新しい前記音声データの上書きを可能とするものであることを特徴とする請求項１記載の音声再生装置。
【発明の詳細な説明】
【技術分野】
【０００１】
本発明は、音声ガイダンスやチャイムなどの音声を再生する機能を備える音声再生装置に関するものである。
【背景技術】
【０００２】
従来、送信機からの信号に対する報知音を出力する受信装置（電子機器）として、その装置専用の音声再生用のＩＣ（例えば音声出力ＩＣ、メロディＩＣなど）を備え、そのＩＣを使用して、信号受信時に報知音としての音声を出力（再生）する構成としたものは知られている（例えば特許文献１参照）。
【０００３】
そして、そのようなものにおいては、そのＩＣの製造時に音声データを予め記録させておき、そのＩＣをマイコンで、必要時に制御することにより音声の再生を行うようになっている。
【特許文献１】特開２００３−１９８３９８号公報（段落００２９及び図６）
【発明の開示】
【発明が解決しようとする課題】
【０００４】
そのような特許文献１記載のものでは、その場合、ＩＣの製造時に音声データを記録するため、音声の変更を簡単に行うことができないし、記録させ再生できる音声の数も制限を受ける。
【０００５】
そこで、発明者は、外部メモリを利用することで、音声の変更を簡単に行うことができ、メモリバンクを使用することで音声を途切れず再生できるようにし、再生できる音声の数についても制限を受けなくなることに着想し、本発明をなすに至ったものである。
【０００６】
本発明は、音声の変更を簡単に行うことができ、再生できる音声の数についても制限を受けない音声再生装置を提供する。
【課題を解決するための手段】
【０００７】
請求項１の発明は、音声データが書き換え可能に記録されている外部メモリから、前記音声データを読み出し、音声として出力する音声再生装置であって、前記外部メモリよりも記録容量が小さく前記音声データの一部のみを記録可能である複数のメモリバンクと、前記音声データを、音声として出力する音声再生部と、前記音声データを一定量ずつ順に読み出し、前記複数のメモリバンクに順に記録する記録手段と、前記複数のメモリバンクに記録されている前記音声データを、前記記録順に読み出し、前記音声再生部を通じて順に再生する再生手段と、前記記録手段及び再生手段に連係され前記記録手段により記録する前記メモリバンク及び前記再生手段により再生する前記メモリバンクを決定するメモリバンク決定手段とを備えることを特徴とする。
【０００８】
このようにすれば、各メモリバンクでの再生が終了する毎に、メモリバンクの機能を順次切り替えながら音声の再生を行うことで、音声が途切れないようにすることができる。例えばメモリバンクが２つの場合には、一方のメモリバンクを音声データの読み出しに、他方のメモリバンクを音声データの再生にそれぞれ利用するという具合に、メモリバンクの機能を交互に切り替えながら音声の再生を行うことで、音声が途切れないようにすることができる。
【０００９】
つまり、メモリバンクを使用しないで外部メモリからのデータの読み出しにより音声再生を実行すると、処理が間に合わず、音声が途切れて再生されることになるが、メモリバンクを利用することで、音声再生を途切れなく、再生することができる（図３参照）。
【００１０】
また、メモリバンク（シリアルメモリやメモリカードなどのインタフェース用のポートが少ないメモリ）を使用することで、安価なマイコンとの組み合わせで製造することができる。
【００１１】
請求項２に記載のように、請求項１の音声再生装置において、前記メモリバンク決定手段は、前記再生手段よりの信号を受け、前記再生手段による再生が終了したメモリバンクについて、新しい前記音声データの上書きを可能とすることが望ましい。
【００１２】
このようにすれば、記録手段による再生が終了したメモリバンクを、再生機能を阻害することなく、再利用できる。つまり、再生に使用中のメモリバンクについては記録動作が禁止され、再生終了前にメモリバンクの音声データが、上書きによって誤って消去されてしまうのが回避される。
【発明の効果】
【００１３】
本発明は、外部メモリを用い、メモリバンクを制御手段によって制御することで音声を再生するようにしているので、音声の変更を簡単に行うことができ、再生（登録）できる音声の数についても制限を受けなくなる。よって、例えば、音声ガイダンス機能についての機能などで、個別にガイダンス内容を変更して対応することなどが容易になる。
【発明を実施するための最良の形態】
【００１４】
以下、本発明の実施の形態を図面に沿って説明する。
【００１５】
図１は本発明の一実施の形態である音声再生装置の概略構成を示すブロック図である。
【００１６】
図１において、１は音声再生装置で、マイクロコンピュータ（例えば、８ビットあるいは１６ビットマイコン）からなる制御手段２を備え、音声データが書き換え可能に記録されている外部メモリである音声データ保存用メモリ３（例えば、メモリカード、フラッシュメモリ、EEPROMなど）から、前記音声データを読み出し、音声として出力するものである。なお、音声データ保存用メモリ３は交換可能で、交換することによって音声を変更することができる。
【００１７】
制御手段は２は、２つのメモリバンク、すなわち第１及び第２メモリバンク４，５を有し、この２つのメモリバンク４，５を利用して、音声データを連続的に取り出し、音声出力回路６を介して、音声データを音声として出力するスピーカ７から出力されるようになっている。ここで、音声データ保存用メモリ３とは、メモリカードのうち音声に著作権情報を扱わないメモリであり、シリアルデータで入出力可能なメモリなどのインタフェース用のポートが少ないメモリである。なお、音声データ保存用メモリ３は、制御手段の一部として有する構成としてもよい。
【００１８】
第１及び第２メモリバンク４，５は、音声データ保存用メモリ３よりも記録容量が小さく前記音声データの一部のみを記録可能である。
【００１９】
制御手段２は、音声データ保存用メモリ３から前記音声データを一定量ずつ順に読み出し、第１及び第２メモリバンク４，５に交互に記録する記録手段２Ａと、第１及び第２メモリバンク４，５に記録されている前記音声データを、記録手段２Ａによる記録順に読み出し、スピーカ７を通じて順に再生する再生手段２Ｂとを備える。
【００２０】
また、制御手段２は、記録手段２Ａ及び再生手段２Ｂに連係され記録手段２Ａにより記録するメモリバンク４，５及び再生手段２Ｂにより再生するメモリバンク４，５を決定するメモリバンク決定手段２Ｃを備える。このメモリバンク決定手段２Ｃは、再生手段２Ｂよりの信号を受け、再生手段２Ｂによる再生が終了したメモリバンク４，５について、新しい音声データの上書きを可能とする。つまり、再生手段２Ｂによる再生に使用中のメモリバンク４，５については、記録手段２Ａによる記録動作が禁止され、再生終了後に記録動作が実行されることになる。
【００２１】
続いて、制御手段２による処理の流れについて、図２及び図３に沿って説明する。
【００２２】
スタートすると、まず、音声データ保存用メモリ３から第１メモリバンク４に、再生しようとする音声データが読み出され（ステップＳ１）、第１メモリバンク４へのデータ読み出し終了後、第１メモリバンク４を使用して、再生手段２Ｂが一定間隔ごとに一定の容量（例えば、１バイト）ずつ読み出して再生処理（つまり、音声出力回路６へ出力する処理）を実行する（ステップＳ２）。
【００２３】
この第１メモリバンク４からの読み出し終了後であって第１メモリバンク４を使用しての再生中に、音声データ保存用メモリ３にまだ音声データがあるか否かが判定され（ステップＳ３）、音声データがある場合には、第１メモリバンク４を使用しての再生中に、続きの音声データを第２メモリバンク５に読み出し（ステップＳ４）、記録する一方、音声データがなければ、そのまま終了する。
【００２４】
そのような第２メモリバンク５に読み出し後、第１メモリバンク４での再生が終了したか否かが判定され（ステップＳ５）、終了していれば、第１メモリバンク４に続いて第２メモリバンク５を使用して、再生手段２Ｂが一定間隔ごとに一定の容量（例えば、１バイト）ずつ読み出して再生処理を実行する（ステップＳ６）一方、終了していなれば、終了するまでこの判定を繰り返す。つまり、第１メモリバンク４を使用しての再生が終了するまで待機することになり、その再生終了後に第２メモリバンク５を使用しての再生が直ちに実行される。
【００２５】
このように、第１メモリバンク４に続いて第２メモリバンク５を使用して、再生処理を繰り返し連続して実行することで、音声が途切れないように再生されることになる。ここで、音声が途切れないようにするために、各メモリバンク４，５を使用しての再生処理（音声出力）は一定間隔での処理で、各メモリバンク４，５を使用しての再生処理時間は一定となり、その再生処理時間よりも音声データ保存用メモリ３から各メモリバンク４，５への読み出し記録に要する時間の方が短くなるように設定されているのはいうまでもない。
【００２６】
ついで、第２メモリバンク５を使用しての再生中に、音声データ保存用メモリ３にまだ音声データがあるか否かが判定され（ステップＳ７）、音声データがある場合には、第２メモリバンク５を使用しての再生中に、続きの音声データを第１メモリバンク４に読み出し（ステップＳ８）、記録（上書き）する。一方、音声データがなければ、そのまま終了する。
【００２７】
それから、第２メモリバンク５での再生が終了したか否かが判定され（ステップＳ９）、終了していれば、第２メモリバンク５に続いて第１メモリバンク４を使用して、再生処理を実行する（ステップＳ１０）一方、終了していなれば、終了するまでこの判定を繰り返す。つまり、第２メモリバンク５を使用しての再生が終了するまで待機することになる。
【００２８】
そして、第１メモリバンク４を使用して、再生処理を実行した後、ステップＳ３に戻り、ステップＳ３〜Ｓ１０の処理が、音声データ保存用メモリ３に、再生しようとする音声データがある限り継続される。
【００２９】
前記実施の形態では、メモリバンクを２つ用いているが、本発明はそれに限定されず、３つ以上の、複数個のメモリバンクを用いることも可能である。この場合には、記録手段は、音声データ保存用メモリ３の音声データを一定量ずつ順に読み出し、前記複数のメモリバンクに順に記録する。前記複数のメモリバンクに記録されている前記音声データを、再生手段が前記記録順に読み出し、前記音声再生部を通じて順に再生することになる。そして、メモリバンク決定手段によって、前記記録手段により記録する前記メモリバンク及び前記再生手段により再生する前記メモリバンクが決定される。つまり、メモリバンク決定手段が記録手段や再生手段を監視しつつ、前記メモリバンクについての記録順序及び再生順序を決定する。
【図面の簡単な説明】
【００３０】
【図１】本発明の一実施の形態である音声再生装置の概略構成を示すブロック図である。
【図２】前記音声再生装置の動作の流れを示す流れ図である。
【図３】前記音声再生装置の動作についてのタイミングチャート図である。
【符号の説明】
【００３１】
１    音声再生装置
２    制御手段
２Ａ    記録手段
２Ｂ    再生手段
２Ｃ    メモリバンク決定手段
３    音声データ保存用メモリ（外部メモリ）
４，５    メモリバンク
６    音声出力回路
７    スピーカ
【図１】
2009294336.tif 000003
【図２】
2009294336.tif 000004
【図３】
2009294336.tif 000005